(57)【特許請求の範囲】
【請求項１】
受け取った画データをビットマップ変換し画素クロックに同期するシリアル画データとして出力するデータ制御部と、
指定された倍率に応じた変倍クロックを作成しデータ制御部が使用する画素クロックとして出力するクロック制御部と、を備える画像記録装置であって、
画像の記録領域では指定倍率に応じた変倍クロックを使用し、前記画像の記録領域以外の領域では等倍時の画素クロックを使用するよう変更することによって、前記画データを書き込むことを特徴とする画像記録装置。
【請求項２】
前記画像の記録領域のみに変倍クロックを作成させる一方、前記画像の記録領域以外では等倍時の画素クロックを出力させる制御信号を前記クロック制御部に出力するタイミング制御部を更に備え、
前記クロック制御部は、高周波数のクロックをプログラマブルに分周する第１のカウンタと、第１のカウンタからの分周クロックをカウントする第２のカウンタと、第２のカウンタの出力をデコードし該第２のカウンタが１周する間に予め設定された数だけイネーブル信号を出力するデコーダと、を備えて指定された倍率に応じて第１のカウンタの設定を変更し変倍クロックを作成するとともに、
該クロック制御部は、タイミング制御部からの制御信号に基づいて、画データを記録する領域以外では第１のカウンタを等倍時の設定にする一方、画データを記録する領域では第１のカウンタを指定倍率に応じた設定にすることを特徴とする請求項１に記載の画像記録装置。
【請求項３】
外部装置に接続されるプリンタコントローラ部を有し、
前記タイミング制御部はプリンタコントローラ部に外部装置から受け取った画データを出力させるタイミング信号を送出することを特徴とする請求項１または２に記載の画像記録装置。
【請求項４】
画データの記録開始位置を設定する設定手段を備え、
該設定手段内の記録開始位置の設定値を書換可能に構成したことを特徴とする請求項１から３のいずれかに記載の画像記録装置。
【発明の詳細な説明】
【０００１】
【発明の属する技術分野】
本発明は、画像記録装置に関し、詳しくは、記録する画像の変倍処理をすることのできるものに関する。
【０００２】
【従来の技術】
従来より、受け取った画データをビットマップ変換（展開）してページメモリに蓄積し、その画データを画素クロックに同期させて読み出しシリアル画データとして記録媒体によりプロットして画像を記録する画像記録装置が知られており、この画像記録装置には記録画像を指定された倍率にする変倍処理をする機能を備えてファクシミリ受信した画像や読取複写（コピー）する画像を記録紙のサイズに合わせたり、任意の倍率で記録することができるものがある。
【０００３】
この種の画像記録装置として、本出願人は特開平８−１２３９５７号公報に記載するものを提案している。
この画像記録装置は、受信画データまたはスキャナ等で読み取った画データをビットマップ変換しページメモリに蓄積して画素クロックに同期させてシリアル画データとしてプロットする装置であって、高周波数のクロックをプログラマブルに分周する第１のカウンタと、第１のカウンタからの分周クロックをカウントする第２のカウンタと、第２のカウンタの出力をデコードし該第２のカウンタが１周する間に予め設定された数だけイネーブル信号を出力するデコーダとを備えたクロック分周回路を設け、該クロック分周回路から出力されるクロックを用いることにより、任意の倍率で画像を変倍して記録することを可能にしている。
【０００４】
【発明が解決しようとする課題】
しかしながら、この本出願人が提案する画像記録装置にあっては、変倍時に画素クロックを変化させるために、画像の書き込み開始位置も変化するため、変倍処理毎に書き込み開始位置を補正しなければならない、という不都合があった。したがって、この不都合を解消するという課題があった。
【０００５】
そこで、本発明は、画素クロックを調整するタイミングを制御することにより、変倍処理毎の画像の書き込み位置の補正を不要にして、変倍処理を施した画像を安定した位置に容易に記録可能な画像記録装置を提供することを目的とする。
【０００６】
【課題を解決するための手段】
上記目的達成のため、請求項１に記載の発明は、受け取った画データをビットマップ変換し画素クロックに同期するシリアル画データとして出力するデータ制御部と、指定された倍率に応じた変倍クロックを作成しデータ制御部が使用する画素クロックとして出力するクロック制御部と、を備える画像記録装置であって、画像の記録領域では指定倍率に応じた変倍クロックを使用し、前記画像の記録領域以外の領域では等倍時の画素クロックを使用するよう変更することによって、前記画データを書き込むことを特徴とするものである。
【０００７】
この請求項１に記載の発明では、画像（画データ）の記録領域のみで指定倍率に応じた変倍クロックが使用され、以外の領域、すなわち、画像の書き込み開始位置までの領域などでは通常の等倍時の画素クロックが使用される。したがって、一定の位置から変倍処理された画像が書き込み記録される。
請求項２に記載の発明は、請求項１に記載の発明の構成に加え、前記画像の記録領域のみに変倍クロックを作成させる一方、前記画像の記録領域以外では等倍時の画素クロックを出力させる制御信号を前記クロック制御部に出力するタイミング制御部を更に備え、前記クロック制御部は、高周波数のクロックをプログラマブルに分周する第１のカウンタと、第１のカウンタからの分周クロックをカウントする第２のカウンタと、第２のカウンタの出力をデコードし該第２のカウンタが１周する間に予め設定された数だけイネーブル信号を出力するデコーダと、を備えて指定された倍率に応じて第１のカウンタの設定を変更し変倍クロックを作成するとともに、該クロック制御部は、タイミング制御部からの制御信号に基づいて、画データを記録する領域以外では第１のカウンタを等倍時の設定にする一方、画データを記録する領域では第１のカウンタを指定倍率に応じた設定にすることを特徴とするものである。
【０００８】
この請求項２に記載の発明では、第１のカウンタが、画像の書き込み開始位置までは等倍時の設定にされ、画像の記録領域で指定倍率に応じた設定にされる。したがって、その第１のカウンタの設定を切り換えるだけで、画像の記録領域では指定倍率に応じた変倍クロックが、画像の書き込み開始位置までの領域などでは等倍時の画素クロックが使用される。
【０００９】
請求項３に記載の発明は、請求項１または２に記載の発明の構成に加え、外部装置に接続されるプリンタコントローラ部を有し、前記タイミング制御部はプリンタコントローラ部に外部装置から受け取った画データを出力させるタイミング信号を送出することを特徴とするものである。
この請求項３に記載の発明では、例えば、装置本体が備えるデータ通信機能（ファクシミリ通信機能など）による受信画データやスキャナ機能等による読取画データに限らず、データ処理装置などの外部装置の画データでも、プリンタコントローラ部を介して受け取って、装置本体による画データと同様に（上記発明と同様に）変倍処理することができる。したがって、外部装置で作成などした画像でも変倍処理して一定の位置から書き込み記録することができる。
【００１０】
請求項４に記載の発明は、請求項１から３のいずれかに記載の発明の構成に加え、画データの記録開始位置を設定する設定手段を備え、該設定手段内の記録開始位置の設定値を書換可能に構成したことを特徴とするものである。
この請求項４に記載の発明では、設定手段に予め設定する記録開始位置の設定値を外部装置などから書き換えることができる。したがって、任意の位置から画像の書き込み記録を開始することができる。
【００１１】
【発明の実施の形態】
以下、本発明を図面に基づいて説明する。
まず、本発明の特徴を説明するのに先だって、図１〜図４を用いて、本発明に係る画像記録装置の第１実施形態を適用する画像記録装置を搭載しページメモリにビットマップ変換して蓄積した受信画データや画データを画素クロックに同期させてシリアル画データとしてプロットすることにより任意の倍率で画像を記録可能な複合機を説明する。
【００１２】
図１において、複合機10は、制御プログラムに従って装置各部を統括制御するＣＰＵ11と、その制御プログラムを格納するＲＯＭ12と、装置各部の駆動条件や管理データ等の各種情報を記憶するとともに動作する上で必要なデータを記憶するＲＡＭ13と、駆動条件、装置状態あるいは入力情報などの各種情報を表示するＬＣＤやＬＥＤなどの表示器と共にオペレータによる設定や命令等の入力操作を行なうテンキーやファンクションキーなどの各種操作キーを配設されている操作表示部14と、通信回線に接続され発着信の際に所定の回線制御を実行して回線接続あるいはその切断を行なうとともに、画像データや各種手順信号を変復調し、相手先ファクシミリ装置との間でファクシミリ制御信号の交換制御を行って画データを送受信する通信制御部15と、送信する画データをデータ圧縮して符号化する一方、受信した画データを伸長して復号化する符号化復号化部16と、読取／受信した画データをページ単位で記憶・蓄積するページメモリ17と、原稿画像に照射した光の反射光を光電変換して画データを読み取るスキャナ18と、給紙部19ａが給紙する記録紙に読取／受信した画データに基づいて記録媒体を記録して画像を出力するプロッタ19とを具備しており、この複合機10はファクシミリ機能およびコピー機能を備えて、ページメモリ17にビットマップ変換して蓄積した受信画データや読取画データをプロッタ19が所定の画素クロックに同期させてシリアル画データとして記録紙にプロットすることにより画像記録することができる。
【００１３】
プロッタ19は、例えば、公知の電子写真記録方式により記録紙に画像を記録するようになっており、詳細な説明は割愛するが、回転駆動させつつ帯電させた感光体上に画データに基づいて図２に示すＬＤ（レーザダイオード）ドライブ部20を駆動させて光書き込みすることにより静電潜像を形成した後にトナーを付着させてトナー現像し、そのトナー像を給紙されてきた記録紙に転写し定着させ装置外に排紙する。なお、本実施形態では、電子写真記録方式を採用するプロッタ19を説明するが、所謂、サーマルヘッドやインクジェットにより画像記録する方式のものであってもよいことはいうまでもない。
【００１４】
このプロッタ19の画データの記録タイミングは、図２に示すクロック分周回路21、プロットデータ制御部22およびプロッタタイミング制御部23により制御するようになっている。
クロック分周回路21は、図２に示すように、発振器24、レジスタＡ25、レジスタＢ26、カウンタＡ27、カウンタＢ28、およびデコーダ29により構築されている。カウンタＡ27は、発振器24からの基準高周波クロックをレジスタＡ25内の格納値Ｍ（Ｍ＝整数）によってＭ分周またはＭ−１分周して、例えば、後述するデコーダ29の出力が「０」のときにはＭ分周の分周クロックＰＣＬＫを、「１」のときにはＭ−１分周の分周クロックＰＣＬＫをカウンタＢ28に出力するようになっており、カウンタＢ28はカウンタＡ27からの分周クロックＰＣＬＫをカウントするＮ進カウンタを構成するのに対して、デコーダ29はレジスタＢ26の格納値Ｋ（Ｋ＝整数）に応じてそのカウンタＢ28がカウンタ出力ＣＮＴをＮカウントする間にＫ回のイネーブル出力「１」を出力する。
【００１５】
そして、クロック分周回路21は、この構成により、プロッタ19による記録速度に合わせて画データ（プロットデータ）の転送クロックである画素クロックＰＣＬＫ（分周クロックＰＣＬＫ）を作成して、その画素クロックＰＣＬＫは画データを書き込む１ラインの同期信号であるプロッタラインシンクに同期させプロットデータ制御部22およびプロッタタイミング制御部23に出力する。そのうちのプロットデータ制御部22は、そのプロッタラインシンクと画素クロックＰＣＬＫから１ラインの画データ区間（画像領域）を作成して、その画素クロックＰＣＬＫに同期させてページメモリ17に蓄積する画データを読み出しスムージング処理などの画像処理を施した後にシリアル画データとしてＬＤドライブ部20に出力し、ＬＤドライブ部20にＬＤの発光によりその画データ区間で光書き込み（プロット）を行わせる。
【００１６】
このとき、クロック分周回路21は、図３のタイミングチャートに示すように、発振器24の周波数を３０ＭＨｚとすると、通常の分周器では、１５ＭＨｚ、１０ＭＨｚ・・・というように整数分の一の分周しかできないが、例えば、レジスタＡ25にＭ＝６をセットすることによりカウンタＡ27の値をＭ＝６とすると共にカウンタＢ28の値をＮ＝４とすると、カウンタＡ27はデコーダ29の出力が「０」のときに６進カウンタ、「１」のときに５進カウンタとなり、カウンタＢ28は４進カウンタとなる。
【００１７】
ここで、レジスタＢ26にＫ＝０がセットされている場合には、デコーダ29の出力ＤＥＣはカウンタＢ28の出力ＣＮＴによらず「０」となり、カウンタＡ27は６進カウンタ動作を続けるので、画素クロックＰＣＬＫの周波数は３０ＭＨｚ／６＝５ＭＨｚとなる。
また、レジスタＢ26にＫ＝１がセットされたとすると、デコーダ29のＤＥＣとして、カウンタＢ28の１サイクル（ＰＣＬＫの４カウント）中のＣＮＴ＝３のときに１回「１」が出力され、カウンタＡ27はそのデコーダ出力ＤＥＣが「１」のときに５進カウンタ動作を行う。このため、画素クロックＰＣＬＫの出力としては、発振器24の１／６周期が３回、１／５周期が１回という間隔のクロックとなり、平均すると（６×３＋５×１）／４＝５．７５分周されたことになって、平均周波数は、３０ＭＨｚ／５．７５＝５．２２ＭＨｚとなる。
【００１８】
同様に、レジスタＢにＫ＝２がセットされたとすると、デコーダ29のＤＥＣとして、カウンタＢ28の１サイクル（ＰＣＬＫの４カウント）中に２回「１」が出力されるので、画素クロックＰＣＬＫの出力は、１／６周期が２回、１／５周期が２回というクロックとなり、平均すると５．５分周クロックとなる。
このように、クロック分周回路21によれば、Ｍ、Ｎ、Ｋの値によって、発振器24のクロックを（Ｍ・Ｎ−Ｋ）／Ｎ分周することが可能となる。なお、Ｋの値はＮ以下の整数である。
【００１９】
したがって、プロッタ19は、操作表示部14などから指定された倍率に画像を変倍処理する命令が入力されて、主走査方向の変倍を行う場合（副走査方向の変倍処理は、公知の方式、例えば記録紙の給紙速度や間引き処理などにより行うことはいうまでもない。）、例えば、発振器24の周波数を３０ＭＨｚで等倍出力時の画素クロックＰＣＬＫを５ＭＨｚとすると、クロック分周回路21には、Ｍ＝６、Ｎ＝４、Ｋ＝０をセットすることにより、図４のタイミングチャートに示すように、基準クロックを６分周した５ＭＨｚの画素クロックＰＣＬＫが発生し（作成され）、このクロックに同期した等倍の画像を記録するシリアル画データ（プロットデータ）がプロットデータ制御部22に出力される。また、クロック分周回路21に、Ｍ＝６、Ｎ＝４、Ｋ＝２をセットすると、（６×４−２）／４＝５．５分周した平均５．４５ＭＨｚの画素クロックＰＣＬＫで５ＭＨｚ／５．４５ＭＨｚ＝０．９２倍に縮小する変倍処理を施したプロットデータが出力される。また、クロック分周回路21に、Ｍ＝７、Ｎ＝４、Ｋ＝２をセットすると、平均４．６２ＭＨｚの画素クロックＰＣＬＫで５ＭＨｚ／４．６２ＭＨｚ＝１．０８倍に拡大する変倍処理を施したプロットデータが出力される。
【００２０】
しかしながら、プロッタ19は、ＲＡＭ（設定手段）13内の設定値により画データの書き込み開始位置を決定するようになっており、プロッタタイミング制御部23内で画素クロックＰＣＬＫをカウントすることでＲＡＭ13内の設定値に対応するカウント値に達したときに画データの書き込みを開始する。このため、クロック分周回路21では、図４のタイミングチャートに示すように、画素クロックＰＣＬＫを変更した場合、プロッタラインシンクからの画データの開始位置までの間隔が、等倍時の間隔Ａに対して、縮小時には短くなって間隔Ｂに、拡大時に長くなって間隔Ｃに、と画素クロックＰＣＬＫの変更に連動して変化してしまう。このことから、画像の変倍処理時も等倍時と同じ位置から画データの書き込みを開始するためには、倍率に応じてそのカウンタ値を補正する必要がある。
【００２１】
次に、本発明に係る画像記録装置の第１実施形態を図５および図６を用いて説明する。図５および図６は上述した複合機10の画像記録装置にその第１実施形態を適用した一例を示す図であり、本実施形態は請求項１、２に記載の発明に対応する。なお、本実施形態では、図１、図３を流用して上述した画像記録装置と同様な構成には同一の符号を付して特徴部分を説明する。
【００２２】
図５において、プロッタ19は、画データの記録タイミングをクロック分周回路（クロック制御部）31、プロットデータ制御部22およびプロッタタイミング制御部33により制御するようになっており、クロック分周回路31は、発振器24、レジスタＡ25、レジスタＢ26、カウンタＡ（第１のカウンタ）27、カウンタＢ（第２のカウンタ）28、およびデコーダ29に加えてレジスタＣ35を追加し、プロッタタイミング制御部33によりカウンタＡ27が用いるＭの値を変更できるようになっている。
【００２３】
レジスタＣ35は、レジスタＡ25と同様に分周比を決定するためのカウンタＡ27が用いる値Ｍを格納することができるようになっており、レジスタＡ25が上述した変倍時の分周比を決定するＭ１の値をセットするのに対して、レジスタＣ35には等倍の倍率指定のときに等倍時の分周比を決定するＭ２の値をセットする。
そして、プロッタタイミング制御部33は、画データを出力している間にはイネーブル信号（ＤＡＴＡＥＮ）を作成するとともに、画データの書き込み開始および終了のタイミングにはＭ値をレジスタＡ25またはレジスタＣ35から読み出すＭロード信号（ＭＬＯＡＤ）を作成してカウンタＡ27に出力するようになっており、そのうちのＤＡＴＡＥＮはデコーダ29のＤＥＣとのＡＮＤをとってカウンタＡ27に出力される。
【００２４】
したがって、クロック分周回路31は、図６のタイミングチャートに示すように、プロッタラインシンクが入力されるとカウンタＡ27にレジスタＣ35の値Ｍ２をロード（先の書き込み終了時にＭＬＯＡＤによりロード済み）しカウンタＡ27をＭ＝Ｍ２で動作させ、ＤＡＴＡＥＮ「０」であるうちはデコーダ29からＤＥＣ「１」が出力されてもカウンタＡ27はＭ２進カウンタとして動作することにより、等倍時の画素クロックＰＣＬＫを作成・出力することができる。このとき、プロッタタイミング制御部33は、その画素クロックＰＣＬＫをカウントするので、プロッタラインシンクからの画データの開始位置までの間隔Ｄが等倍時の間隔Ａと同一となる等倍時と同一の書き込み開始位置で画データの書き込みを開始することができる。
【００２５】
そして、画データ開始位置の手前に来ると書き込み開始時のＭＬＯＡＤによりカウンタＡ27にレジスタＡ25の値Ｍ１をロードしカウンタＡ27をＭ＝Ｍ１で動作させると共に、ＤＡＴＡＥＮ「１」となることからデコーダ29のＤＥＣ「１」も有効になって、カウンタＡ27は１／Ｍ１または１／（Ｍ１−１）の動作をすることができ、指定された倍率に応じた画素クロックＰＣＬＫを出力することができる。
【００２６】
さらに、画データ区間が終了すると書き込み終了時のＭＬＯＡＤによりカウンタＡ27にレジスタＣ35の値Ｍ２を再度ロードしてＭ＝Ｍ２で動作させ等倍時の画素クロックＰＣＬＫを作成・出力することができる。
この結果、１ライン中に画データ出力時のみ周波数が変わる画素クロックを発生することができ、等倍時と同一位置から変倍処理した画像がプロットデータ制御部22およびＬＤドライブ部20により書き込み記録される。
【００２７】
このように本実施形態においては、画像の記録領域では指定倍率に応じた変倍クロックを使用する一方、画像の書き込み開始位置までの領域および書き込み終了後の領域では等倍時の画素クロックを使用して、画データを書き込むことができる。したがって、画素クロックを調整する簡易な構成により、変倍処理を施した画像でも等倍時と同一の位置に安定して容易に記録することができる。
【００２８】
次に、図７および図８は本発明に係る画像記録装置の第２実施形態を示す図であり、本実施形態は請求項３、４に記載の発明に対応する。なお、本実施形態は、上述した第１実施形態と同様に複合機10の画像記録装置に適用した一例であることから、図５、図６を流用して同様な構成には同一の符号を付して特徴部分を説明する。
【００２９】
図７および図８において、複合機10は、ＣＰＵ11、ＲＯＭ12、ＲＡＭ13、操作表示部14、通信制御部15、符号化復号化部16、ページメモリ17、スキャナ18、およびプロッタ19に加えて、外部装置としてＰＣ（データ処理装置）100を接続してデータのやりとりするＰＣＩ／Ｆ41を設けられており、ＰＣＩ／Ｆ41は、ファクシミリ機能およびコピー機能以外に複合機10をＰＣ100からプリンタ装置として利用することを実現するプリンタコントローラとしても機能する。
【００３０】
ＰＣＩ／Ｆ41は、ＰＣ100からのプリント要求に続けて送られてくるキャラクタデータをビットマップ変換して内部の不図示のページメモリに蓄積するようになっており、プロッタタイミング制御部33は、ＰＣ100からのプリント要求に応答する１ライン開始の同期信号であるプリンタラインシンク、１ラインの有効幅を示すＬＧＡＴＥ、１ページ書き込み有効期間を示すＦＧＡＴＥ、画データ転送クロックであるＷＣＬＫ等のプロットタイミング信号を作成してＰＣＩ／Ｆ41に出力する。
【００３１】
プロッタタイミング制御部33は、画データ転送クロック（ＷＣＬＫ）として、クロック分周回路31に、等倍時に作成する画素クロックＰＣＬＫの他に、プリント要求時にＰＣ100または操作表示部14から指定された倍率に応じた画素クロックＰＣＬＫを画データ区間に作成させてＰＣＩ／Ｆ41に出力するようになっており、ＰＣＩ／Ｆ41はプロッタタイミング制御部33から送られてきたプロットタイミング信号に合わせてページメモリに蓄積するプリント画データ（ＷＤＡＴＡ）をプロットデータ制御部22に出力し、プロットデータ制御部22はその画データをプロットデータとしてＬＤドライブ部20に出力しＬＤを発光させ光書き込み（プロット）をする。
【００３２】
また、複合機10は、ＰＣ100からの指示をＰＣＩ／Ｆ41を介して受けることができ、ＣＰＵ11がＰＣ100からの入力に従ってＲＡＭ13内の画データの書き込み開始位置を決定する設定値を書き換えることができる。なお、併せて副走査方向のレジスト調整を行い得るようにするのが好適であることはいうまでもない。また、ＲＡＭ13内の設定値は操作表示部14からも書換可能に構成してもよい。
【００３３】
このように本実施形態においては、上述実施形態の作用効果に加えて、ＰＣ100で作成した文書などのプリンタ画像でも変倍処理を行うことができ、等倍時と同一位置で各変倍時の書き込みを開始することができる。
また、ＲＡＭ13内の設定値をＰＣ100から書き換えることにより、ＰＣ100で作成したプリンタ画像の主走査方向のレジスト調整を任意に設定することができ、任意の位置にプリント画像を記録することができる。
【００３４】
なお、本実施形態では、ＰＣＩ／Ｆ41をプリンタコントローラ部として構成するが、ＰＣＩ／Ｆ41はデータのやりとりをするインターフェイス部として構成し、ＣＰＵ11やページメモリ17などをプリンタコントローラ部として機能させるようにしてもよいことはいうまでもない。
【００３５】
【発明の効果】
本発明によれば、画像の記録領域では指定倍率に応じた変倍クロックを使用する一方、画像の書き込み開始位置までの領域などでは等倍時の画素クロックを使用して、受け取った画データを書き込むことができる。したがって、変倍処理を施した画像を安定した位置に容易に記録することができる。また、画像の記録開始位置の設定値を書換可能にすることにより、その画像を任意の位置に記録することができる。
【図面の簡単な説明】
【図１】本発明に係る画像記録装置の第１実施形態を適用する複合機を示す図であり、その概略全体構成を示すブロック図である。
【図２】その要部構成を示すブロック図である。
【図３】その変倍処理時の画素クロックを説明するタイミングチャートである。
【図４】その変倍処理時の画像記録を説明するタイミングチャートである。
【図５】本発明に係る画像記録装置の第１実施形態を適用した複合機を示す図であり、その要部構成を示すブロック図である。
【図６】その変倍処理時の画像記録を説明するタイミングチャートである。
【図７】本発明に係る画像記録装置の第１実施形態を適用した複合機を示す図であり、その概略全体構成を示すブロック図である。
【図８】その要部構成を示すブロック図である。
【符号の説明】
10    複合機
11    ＣＰＵ
13    ＲＡＭ（設定手段）
14    操作表示部
15    通信制御部
17    ページメモリ
18    スキャナ
19    プロッタ（画像記録装置）
22    プロットデータ制御部
24    発振器
25    レジスタＡ
26    レジスタＢ
27    カウンタＡ（第１のカウンタ）
28    カウンタＢ（第２のカウンタ）
29    デコーダ
31    クロック分周回路（クロック制御部）
33    プロッタタイミング制御部
35    レジスタＣ
41    ＰＣＩ／Ｆ（プリンタコントローラ部）
【図１】
0003710283.tif 000002
【図２】
0003710283.tif 000003
【図３】
0003710283.tif 000004
【図４】
0003710283.tif 000005
【図５】
0003710283.tif 000006
【図６】
0003710283.tif 000007
【図７】
0003710283.tif 000008
【図８】
0003710283.tif 000009